(57)【特許請求の範囲】
【請求項１】
コンクリート構造物に穴を穿設し、その穴に足入れして硬化性樹脂の注入により固定する足付き筒形の支柱補強において、支柱補強の下端部に筒長ナットを嵌入して固着し、それに短片ナット付きねじボルトを前記足として螺入したことを特徴とするコンクリート構造物における支柱後付け用の足付き支柱補強。
【請求項２】
筒長ナットの固着について、支柱補強の下端部の両側面に割溝を設け、割溝で熔接したことを特徴とする請求項１記載のコンクリートにおける支柱後付け用の足付き支柱補強。
【発明の詳細な説明】
【０００１】
【発明の属する技術分野】
この発明は、コンクリートのパラペット等の構造物（以下単に構造物という）に、手摺り等の支柱を立てる場合に、その支柱の芯材として用いるコンクリート構造物における支柱後付け用の足付き支柱補強に関する。
【０００２】
【従来の技術】
手摺り等の支柱を構造物に立てるには、コンクリートの打設時に、支柱を落とし込む凹所を形成しておくと共に、支柱のアンカーを埋設しておくことがある。一方、既に完成した構造物の場合であると、それにドリルで支柱を立てるための穴が穿設されるが、構造物の鉄筋が穴明けの障害となることがある。
【０００３】
また、立設された支柱には、殊に下端部に曲げ応力が集中しやすいことから、破損防止のために、支柱には支柱補強が芯材として入れられる。その場合でも、構造物に明けた穴に支柱または支柱補強の下端部をそのまま差し込む立て方であると、その穴が極めて大きくなり、穿穴作業に多大な労力を要することから、支柱補強に強度的に安全なねじボルトを足として嵌入して取り付け、ねじボルトを穴に差し込む方式によって、その穴を小さく明けていた。
【０００４】
従来、このような足付き支柱補強においては、足としてのねじボルトを固着するために、支柱補強の両側面に割溝を形成し、割溝でねじボルトに熔接し、不動一体化していたので、前記の如く穿穴において鉄筋障害があった場合には、ねじボルトを足切りして長さ調整するか、もしくは、鉄筋を切断して障害を除去するかという、いずれにしても面倒な作業が強いられ、特に、鉄筋切断は構造物の強度を損うという問題があった。
【０００５】
また、ねじボルトの取付けに前記のように支柱補強に熔接する手段を取る関係から、その支柱補強の内径とほぼ同じ太さとなり、この点でねじボルトを小径にする制約もあった。
【０００６】
【発明が解決しようとする課題】
この発明は、上記のような実情に鑑みて、構造物の穴の深さに応じて、足としてのねじボルトの長さを自由に調整して固定でき、また、ねじボルトが小径となり得るコンクリート構造物における支柱後付け用の足付き支柱補強を提供することを目的とした。
【０００７】
【課題を解決するための手段】
上記の目的を達成するために、この発明は、コンクリート構造物に穴を穿設し、その穴に足入れして硬化性樹脂の注入により固定する足付き筒形の支柱補強において、支柱補強の下端部に筒長ナットを嵌入して固着し、それに短片ナット付きねじボルトを前記足として螺入したコンクリート構造物における支柱後付け用の足付き支柱補強を提供するものである。
【０００８】
上記の構成によれば、支柱を立てる穿穴において、その穴径をねじボルトと短片ナットが納まる程度の大きさとする。または、短片ナットを鍔として穴の上面に掛かるようにすれば、ねじボルトのみが差し込まれる程度の小さな径となる。いずれにしても、穴の深さに足長を調整するには、短片ナットを弛めた状態において、ねじボルトを回しながら適当な長さに進退させ、短片ナットを筒長ナットに締め付けるダブルナットによってねじボルトを固定する。
【０００９】
ねじボルトの径は、支柱補強の内径ではなくそれに嵌まる筒長ナットに螺入される小さな径となる。また、支柱補強は、この筒長ナットにより補強されるため、支柱の下端に集中する曲げ応力に合理的に対応できる。
【００１０】
【発明の実施の形態】
この発明において、支柱補強１の筒形については、円筒形に限らなく、四角等の角筒形である場合もある。そして、その内形に合わせた形状の筒長ナット３であると、それを熔接（請求項２）によって、強固に固着することができる。
【００１１】
短片ナット７は、ねじボルト５の足長に対して短片であることを意味し、これによってねじボルト５のねじを硬化性樹脂１６との結合に利用し得る。従って、この結合の利用が有効になされる場合には、普通のナットよりも長くても良い。逆に、前記したように、鍔状に薄く形成される場合もある。
【００１２】
【発明の効果】
以上説明したように、この発明によれば、足付き支柱補強の足長を自由に調整して固定できるため、構造物に足としてのねじボルトを差し込む穴を穿設する際に、鉄筋障害のために浅穴となっても、それに容易に対応でき、また、穴をねじボルトが納まる程度に施工が簡単な小さな穿穴にもなり得ることから、作業性が非常に良くなり、また、支柱が折損しないようにその要所の補強を筒長ナットにより合理的になし得るし、構造物の強度を鉄筋で維持できる等の優れた効果がある。
【００１３】
【実施例】
次に、この発明の実施例を図面に基づいて説明する。
【００１４】
図面は、一実施例を示したもので、その支柱補強Ｐは、支柱１が挿入される円筒形であって、下端部に筒長ナット３を嵌着し、筒長ナット３に足としてのねじボルト５を螺入し、ねじボルト５に短片ナット７を螺着して構成される。
【００１５】
筒長ナット３の取付けについては、支柱補強１の下端部の相対向する両側面に割溝９，９を設け、下端部を加締める絞り加工によって筒長ナット３を締め付け、さらに、割溝９において熔接１１を施こし、固着をその両方で完全にしてある。
【００１６】
ねじボルト５の足長の調整をするには、それを回転させて所定の長さにしてから、短片ナット７を回転して筒長ナット３に締め付けるダブルナットによってねじボルト５を固定する。この足長は標準に設定しておいて使用に供することが望ましい。
【００１７】
ベランダ等のパラペット１０に手摺りを据え付けるには、パラペット１０に穴１３を穿設し、その穴１３が鉄筋１５の障害で深さの制約を受けた場合には、短片ナット７を一旦弛めてねじボルト５を回転することによって、穴１３の深さに足長を調整する。それから注入器１７で硬化性樹脂１６の注入と共に、ねじボルト５を穴１３に差し込む。１８は、穴隠しであって、支柱１が支柱補強Ｐに差し込まれてからパラペット１０上に降ろされる。
【００１８】
図３および図４は、他の実施例を示したもので、この場合は、筒長ナット３に支柱補強Ｐに内接する太さのものを使用することによって、支柱補強Ｐについて加締め加工を省き、熔接１１によってのみ筒長ナット３を固定した。また、筒長ナット３の下端部２０を切削して細くすることによって、穴１３の径を小さくすることができた。なお、筒長ナット３には六角ナットを使用したので、角部２１の切削だけで細くなし得た。
【図面の簡単な説明】
【図１】この発明による足付き支柱補強を支柱の立設要領において示す斜視図である。
【図２】同要領において支柱を立設した状態を示す断面図である。
【図３】他の実施例発明における筒長ナットと支柱補強との関係を示した説明図である。
【図４】他の実施例発明における支柱を立設した状態を示す断面図である。
【符号の説明】
Ｐ  コンクリート構造物における支柱後付け用の足付き支柱補強
１  支柱
３  筒長ナット
５  足としてのねじボルト
７  短片ナット
９  割溝
１０  コンクリート構造物としてのパラペット
１１  熔接
１３  穴
【図１】
0003730049.tif 000002
【図２】
0003730049.tif 000003
【図３】
0003730049.tif 000004
【図４】
0003730049.tif 000005